(57)【要約】【課題】ガスボンベをガス源として用いた発電機からの電力によって作動する水処理装置を提供する。【解決手段】災害時等に、ＬＰガス容器６からガスを発電機ユニット２７に供給して発電し、ポンプユニット１２を作動させ、プール水、貯水槽、井水、池、河川等の水を濾過フィルタ１６及び活性炭フィルタ１８で浄化し、消毒剤混和部２０で消毒剤を混和し、浄水を配管２１から供給する。ＬＰガス容器の代りにカセットボンベを用いてもよい。【選択図】図１
2020044467.tif 000002
【特許請求の範囲】
【請求項１】
原水を取水するポンプと、該ポンプからの水が通水される濾過装置と、該ポンプを駆動するための電力を発生させる発電機とが共通のベース上に設置されている水処理装置において、
該発電機はガスエンジンを動力源とし、
該ガスエンジンにガスを供給するガスボンベを備えたことを特徴とする水処理装置。
【請求項２】
前記ポンプを制御するインバータ制御器を備えたことを特徴とする請求項１に記載の水処理装置。
【請求項３】
前記ポンプからの吐出水がアキュムレータを介して前記濾過装置に供給されることを特徴とする請求項１又は２に記載の水処理装置。
【請求項４】
前記ガスボンベはＬＰガス容器であり、前記ベースに設けられた隔壁の背後側に該ＬＰガス容器が配置されていることを特徴とする請求項１〜３のいずれか１項に記載の水処理装置。
【請求項５】
前記ガスボンベはカセットボンベであり、
前記発電機を囲むカバーケースに設けられたカセットボンベ装着部に該カセットボンベが装着されていることを特徴とする請求項１〜３のいずれか１項に記載の水処理装置。
【請求項６】
接水部材の少なくとも一部が透明となっていることを特徴とする請求項１〜５のいずれか１項に記載の水処理装置。
【発明の詳細な説明】
【技術分野】
【０００１】
本発明は、原水を浄化して飲料水や生活用水等に利用できるようにした水処理装置に関する。
【背景技術】
【０００２】
従来、例えば、震災等の災害時には、電気、ガス及び水道等のライフラインが破壊されてしまう場合がある。この場合、河川水、井戸水、プールの水、地下水等を原水として、この原水を浄化して飲料水に利用できるようにした水処理装置が知られている。この水処理装置の動力源として太陽電池を用いるものが提案されている（特許文献１、２）。
【０００３】
特許文献３には、河川や湖沼または防火用水、水道受水槽など比較的水道水質に近いものを水源として、震災や渇水時の生活用水の不足の事態が復旧されるまでの間、洗濯、風呂、飲料水などの生活用水を供給するための移動可能な造水装置として、原水を取水するポンプと、取水された原水を濾過する中空糸膜濾過装置と、これらポンプおよび中空糸膜濾過装置を接続する配管に設けられた塩素添加手段と、上記中空糸膜濾過装置の下流に接続して設けられた紫外線反応槽と、この紫外線反応槽を出た処理水を分岐して取り出す少なくとも２つの水栓とを移動可能な架台上に設置した造水装置が記載されている。この特許文献３には、電源をどのようにするかについては記載がない。
【先行技術文献】
【特許文献】
【０００４】
【特許文献１】特開平１０−３４１４８号公報
【特許文献２】特開２００６−３４６６６号公報
【特許文献３】特開平９−６６２９５号公報
【発明の概要】
【発明が解決しようとする課題】
【０００５】
本発明は、ガスボンベをガス源として用いた発電機からの電力によって作動する水処理装置を提供することを目的とする。
【課題を解決するための手段】
【０００６】
本発明の水処理装置は、原水を取水するポンプと、該ポンプからの水が通水される濾過装置と、該ポンプを駆動するための電力を発生させる発電機とが共通のベース上に設置されている水処理装置において、該発電機はガスエンジンを動力源とし、該ガスエンジンにガスを供給するガスボンベを備える。
【０００７】
本発明の一態様では、前記ポンプを制御するインバータ制御器を備える。
【０００８】
本発明の一態様では、前記ポンプからの吐出水が圧力タンク（アキュムレータ）を介して前記濾過装置に供給される。
【０００９】
本発明の一態様では、前記ガスボンベはＬＰガス容器であり、前記ベースに設けられた隔壁の背後側に該ＬＰガス容器が配置されている。
【００１０】
本発明の一態様では、前記ガスボンベはカセットこんろ用燃料容器（カセットボンベ）であり、前記発電機を囲むカバーケースに設けられたカセットボンベ装着部に該カセットボンベが装着されている。
【００１１】
本発明の一態様では、消毒剤を注入する機構を備え、前記濾過水に消毒剤が混和される。
【００１２】
本発明の一態様では、固形消毒剤を収容しており、前記濾過水が通水される容器を備える。
【００１３】
本発明の一態様では、接水部材の少なくとも一部が透明となっている。
【発明の効果】
【００１４】
本発明の水処理装置は、停電時であってもガスボンベのガスを用いて発電機を作動させて浄水を得ることができる。
【図面の簡単な説明】
【００１５】
【図１】実施の形態に係る水処理装置の側面図である。
【発明を実施するための形態】
【００１６】
以下、図１を参照して実施の形態について説明する。
【００１７】
箱型のハウジング１のベース２にキャスタ等の車輪３が設けられており、該ハウジング１が移動可能となっている。ハウジング１内に法定の強度を有した隔壁４が設けられており、該隔壁４の背後側（図の右側）のボンベ設置スペース５にＬＰガス容器６が設置されている。
【００１８】
隔壁４の表側（図の左側）が機器設置スペース７となっている。
【００１９】
該機器設置スペース７には、取水口９が接続された三方弁１０と、該三方弁１０の第１流出口から配管１１を介して水が導入されるポンプユニット１２と、該ポンプユニット１２から配管１３、逆止弁１４及び配管１５を介して水が導入される濾過フィルタ１６と、該濾過フィルタ１６で濾過された濾過水が配管１７を介して導入される活性炭フィルタ１８と、該活性炭フィルタ１８を通過した水が配管１９を介して導入される消毒剤混和部２０と、該消毒剤混和部２０を通過した水をハウジング１外に供給する供給配管２１が設置されている。
【００２０】
三方弁１０の第２流出口は、配管２２、ハンドポンプ２３及び配管２４を介して配管１５に接続されている。
【００２１】
前記ポンプユニット１２は、モータと、該モータによって駆動されるポンプ等を備えている。
【００２２】
機器設置スペース７には、さらに前記ＬＰガス容器６からホース２６を介してガスが供給される発電機ユニット２７が設置されている。発電機ユニット２７は、ガスエンジンと、該ガスエンジンによって回転駆動される発電機とを備えている。発電機の発電電力によって前記ポンプユニット１２のモータが作動する。
【００２３】
ガスエンジン及びモータの作動を制御するための操作盤２８及び制御器（図示略）がハウジング１の上部に設けられている。ポンプユニットの制御はインバータ制御とすることが好ましい。ポンプユニットをインバータ制御することにより、起動電流を抑えることができ、発電機を小型化することができると共に、吐出流量、圧力の安定化が図れる。
【００２４】
各機器の作動状況等を表示する液晶パネル等よりなる画面２９がハウジング１の上部に設けられている。画面２９を多言語表示方式としてもよい。
【００２５】
ハウジング１の頂部には、表示灯３０とＬＥＤ等の照明３１が設置されている。作動中に表示灯３０の各色のランプを点灯させ、運転状況を示すようにしてもよい。
【００２６】
上記濾過ユニット１６としては、フィルタ、膜、吸着剤などを備えたものを用いることができるが、これに限定されない。
【００２７】
上記消毒剤混和部２０には、ポンプまたはエジェクター等で液体消毒剤を注入する。消毒剤は、浄水がシャワー等として人体に触れることがあるので、消毒剤としては食品添加物としても使用できるものが好適である。
【００２８】
消毒剤に固形剤を用いる方法も有効である。固形消毒剤は保管による劣化が少ない利点がある。
なお、人への接触を前提としない用途の場合では消毒剤の注入を省略することも可能である。
【００２９】
なお、ハウジング１の頂面及び周囲側面をパネル（図示略）で囲み、ハウジング１の補強及び各機器の保護を図ることが好ましい。また、上記フィルタ、カートリッジ、配管等の接水部材の少なくとも一部を透明とし、水の流れを目視できるようにすることが好ましい。
【００３０】
上記のポンプユニットとしては、インバータ、圧力タンク（アキュムレータ）を内蔵したものが好ましい。ポンプの吐出側に圧力タンクを設置すると、吐出側の抵抗が変わっても、流量を一定に安定化できる。
【００３１】
上記隔壁４を設けたことにより、法定の２ｍの隔離をとる必要がなくなり、設置スペースが削減される。
【００３２】
配管９はパイプであってもよく、ホースであってもよい。配管９の先端側（吸い込み口）に粗目のスクリーンを設置し、石、ゴミ、枯葉対策をとることが好ましい。
【００３３】
このように構成された水処理装置においては、災害時等に、ＬＰガス容器６からガスを発電機ユニット２７に供給して発電し、ポンプユニット１２を作動させ、プール水、貯水槽、井水、池、河川等の水を濾過フィルタ１６及び活性炭フィルタ１８で浄化し、消毒剤混和部２０で消毒剤を混和し、浄水を配管２１から供給することができる。なお、この浄水を加温するためのガス式給湯器（図示略）を設置してもよい。
【００３４】
図１では、ＬＰガス容器６からガスを発電機ユニット２７に供給しているが、カセットボンベの装着部を有した発電機ユニットを用いてもよい。この場合、隔壁４、スペース５、ＬＰガス容器６及びホース２６を省略することができる。
【００３５】
このようなカセットボンベ式発電機ユニットとしては、市販品を用いることができる。ガスボンベ装着部は、発電機及びポンプを囲むカバーケースに設けられており、外部からカセットボンベを着脱できるように構成されている。
【符号の説明】
【００３６】
１  ハウジング
４  隔壁
６  ＬＰガス容器
１２  ポンプユニット
１６  濾過フィルタ
１８  活性炭フィルタ
２０  消毒剤混和部
２７  発電機ユニット
２８  操作盤
２９  液晶画面
３０  表示灯
３１  照明
【図１】
2020044467.tif 000003